(57)【要約】【課題】所定の映像撮影空間内で撮影された映像被写体の属性を正確に識別すること。【解決手段】映像被写体から映像情報とは別に属性情報を分離して取得し、所定の映像撮影空間内における映像被写体の位置情報に基づき前記２つの情報を結び付けることにより映像被写体の属性を正確に識別する。映像被写体からその属性情報を分離して取得することについては、所定の映像撮影空間内に配置した情報読取装置を使用して映像被写体の属性に関する情報が書き込まれた記録媒体からその情報を情報読取装置を使用して読み取ることにより行なう。また、その際には前記読取装置の配置位置に対応した映像被写体の位置情報についても同時に取得する。【選択図】図１
2004194135.tif 000002
【特許請求の範囲】
【請求項１】
所定の映像撮影空間内に配置した情報読取装置を使用して映像被写体の属性に関する情報が書き込まれた記録媒体からその情報を読み取り、同時に前記読取装置の配置位置に対応した映像被写体の位置情報を取得し、撮影された映像被写体の映像にその属性に関する情報を前記位置情報に基づき個別に結び付けた上で属性の識別を行なうことを特徴とする映像被写体の属性識別方法。
【請求項２】
映像被写体の属性に関する情報が書き込まれた記録媒体からその情報を情報読取装置を使用して読み取り、所定の映像撮影空間内において映像被写体が使用する物体に内蔵した記録媒体に前記情報を複写し、その複写した情報を所定の映像撮影空間内に配置した情報読取装置を使用して読み取ることを特徴とする請求項１に記載の映像被写体の属性識別方法。
【発明の詳細な説明】
【０００１】
【発明の属する技術分野】本発明は、映像被写体の識別方法に関する技術分野に属し、具体的には、映像被写体の属性を識別する技術に関する。尚、本発明の主たる目的は、ＡＶコンテンツを視聴する視聴者の実態を映像として捉え、その映像に視聴者の属性を正確に結び付けることにある。
【０００２】
【従来の技術】ＡＶコンテンツを視聴する視聴者の実態を捉える技術としては、ビデオリサーチ社のＰＭ（ピープルメーター）を用いた視聴率調査方法が有名である。（非特許文献１参照）しかしながら、前記視聴率調査の対象は家庭というプライベートな空間におけるテレビの視聴状況であるため、視聴者の実態を映像として捉えることは困難である。従って、視聴実態（視聴反応等）を映像として捉える必要がある場合においては、ＣＭのプリテストの様に会場調査（観察調査）を実施することが一般的である。但し、会場調査において視聴者の属性を映像に反映させて識別するためには、予め属性に応じて視聴者を分類しておかなければならず、自然な視聴反応等が得られ難くなる可能性が高い。また、視聴者の映像データを電子計算機を使用して映像処理することにより、その属性を識別する方法も考えられるが、視聴者の属性を正確に識別することが困難であることに加えて、映像データだけでは判別不可能な属性情報も存在することから現実的とは言えない。
【非特許文献１】「個人視聴率戦争」（株）リベルタ出版１９９７年発行Ｐ１１９
【０００３】
【発明が解決しようとする課題】本発明が解決しようとする課題は、所定の映像撮影空間内で撮影された映像被写体の属性を正確に識別することである。
【０００４】
【課題を解決するための手段】請求項１に記載の発明では、映像被写体から映像情報とは別に属性情報を分離して取得し、所定の映像撮影空間内における映像被写体の位置情報に基づいて前記２つの情報を結び付けることにより課題を解決する。請求項２に記載の発明は、映像被写体の属性を正確に識別するために必要とされる映像被写体の協力負担を低く抑える手段を兼ね備えた解決手段である。
【０００５】請求項１に記載の発明では、所定の映像撮影空間内に配置した情報読取装置を使用して映像被写体の属性に関する情報が書き込まれた記録媒体からその情報を読み取ることにより、映像被写体から映像情報とは別に属性情報を分離して取得することが出来る。また、映像被写体の属性に関する情報を読み取る際に、前記読取装置の配置位置に対応した映像被写体の位置情報を取得することにより、撮影された映像被写体の映像にその属性に関する情報を個別に結び付けることが出来る。尚、本明細書及び要約書の文中において使用されている「属性に関する情報」とは、「属性情報」及び「サーバー等に記録された属性情報を引き出すことが可能なＩＤ情報」の双方を意味するものである。
【０００６】請求項２に記載の発明は、（１）映像被写体の属性に関する情報が書き込まれた記録媒体からその情報を情報読取装置を使用して読み取る、（２）所定の映像撮影空間内において映像被写体が使用する物体に内蔵した記録媒体に前記情報を複写する、（３）その複写した情報を所定の映像撮影空間内に配置した情報読取装置を使用して読み取る、と言う３つの手順を特徴とする請求項１に記載の映像被写体の属性識別方法である。本発明では、手順（２）において映像被写体の属性に関する情報を元の記録媒体から、所定の映像撮影空間内において映像被写体が使用する物体に内蔵した記録媒体に複写することにより、映像被写体の属性を正確に識別するために必要とされる情報の提供を映像被写体の協力負担を低く抑えた上で受けることが出来る。
【０００７】
【発明の実施の形態】発明の属する技術分野において述べた通り、本発明の主たる目的は、ＡＶコンテンツを視聴する視聴者の実態を映像として捉え、その映像に視聴者の属性を正確に結び付けることにある。従って、本明細書及び要約書において使用される「映像被写体」とは、ＡＶコンテンツを視聴する「視聴者（視聴実態調査の対象者）」のことを意味しており、これ以降においては「視聴者」という表現を使用して説明を行なう。また、本発明の実施において視聴者にＡＶコンテンツを提供する映像ディスプレイ（映像音声再生装置）の数については、単数・複数のどちらでも構わないが、本明細書においては大型の映像ディスプレイに表示されたＡＶコンテンツを複数の視聴者が同時に視聴する形態を用いて説明を行なう。
【０００８】請求項１に記載の映像被写体（視聴者）の属性識別方法において、視聴者の映像情報と属性情報を結び付ける処理のフローについては図１に示す通りである。手順▲１▼に記載の「映像被写体(視聴者）の属性に関する情報を記録媒体に書き込む。」ことについては、ＩＣカード等の記録媒体に視聴者の属性に関する情報を書き込むことで実現されるが、ＩＣカードを新規に発行した上で情報を書き込むこと以外にも、既存のＩＣカードに情報を書き込むことにより対応することが出来る。また、既存のＩＣカードを利用する場合においては、視聴者の属性に関する情報が既に書き込まれている可能性が高く、その場合においては本発明の実施に必要とされる属性情報だけを限定取得するためのアプリケーションを既存のＩＣカードに付加することで対応することが可能となる。（視聴実体調査の範疇であれば、個人の氏名情報等は不要である。）
【０００９】尚、本発明を実施する際には個人情報保護等の観点から、取得する属性情報の内容とその使用目的について事前に本人の了承を得る必要があるが、本人から事前に了承を得ることについては、本発明を実施する施設に入場するための条件（会員制等）として初回の入場時に包括的に得ることが望ましい。また、視聴者の映像を撮影・利用（視聴実体調査の資料として）することについても、事前に本人の了承を得ておくことが肖像権の侵害とならないためには必要となる。
【００１０】手順▲３▼に記載の「記録媒体に書き込まれた映像被写体(視聴者）の属性に関する情報を、所定の映像撮影空間内に配置した情報読取装置を使用して読み取る。」ことについては、ＩＣカード等の記録媒体に書き込まれた視聴者の属性に関する情報をＩＣカードリーダー等の情報読取装置を使用して読み取ることで実現される。但し、請求項１に記載の映像被写体（視聴者）の属性識別方法の場合においては、視聴開始時及び終了時に視聴者自らが所定の映像撮影空間内に配置したＩＣカードリーダー等を使用して、ＩＣカード等から情報を読み取らせる必要がある。尚、「所定の映像撮影空間」とは「ＡＶコンテンツを視聴する視聴者の実態を映像として捉えるための空間」のことを意味しており、その概要については図２に示す通りである。本空間内部の主たる構成要素は、映像被写体(視聴者）１にＡＶコンテンツを提供する映像ディスプレイ４と、映像被写体(視聴者）１の視聴実態を撮影するためのビデオカメラ５と、映像被写体(視聴者）１の属性に関する情報が書き込まれた記録媒体２からその情報を読み取るための情報読取装置３の５つである。尚、本発明を実施する施設の形態としては、ターミナル駅近辺のファーストフード店等が人の集まり易さの点から有望だと言える。
【００１１】手順▲４▼に記載の「所定の映像撮影空間内における情報読取装置の配置位置に対応した映像被写体(視聴者）の位置情報を取得する。」ことについては、所定の映像撮影空間内にＩＣカードリーダー等の情報読取装置を一定間隔で配置しておき、その配置位置に対応した視聴者の位置情報を取得することで実現される。
【００１２】手順▲５▼に記載の「映像被写体(視聴者）の位置情報に基づき、映像被写体(視聴者）の映像情報と属性情報を結び付けた上で記録装置に記録する。」ことについては、個々の視聴者を個々のビデオカメラで撮影することにより容易に実現することが出来るが、その場合においては撮影する視聴者の数だけビデオカメラが必要になると同時に、視聴者の撮影に対する意識を過剰に強める可能性が高くなる。従って、視聴者の自然な視聴実態を把握するためには複数の視聴者を１つのビデオカメラで撮影することが望ましく、その場合においては１つのビデオカメラで撮影された映像内に含まれる複数の視聴者映像に個別の属性情報を結び付けることが必要となる。このことは視聴者の位置情報に対応する映像領域に表示された部分映像に対して、視聴者の属性情報を結び付けることにより実現することが出来、その概要は図３に示す通りである。図３の（ａ）は、１つのビデオカメラで５人の視聴者を撮影した場合の映像を示したもので、映像被写体の位置情報に対応する映像領域６に表示された映像被写体(視聴者）１の属性情報は、図３の（ｂ）の映像被写体の属性情報７に示された通りである。図３の（ｂ）に示す内容については、実際に映像として表示する必要性は特に無く、ここでは説明の便宜上、映像として示したに過ぎない。尚、１つのビデオカメラで撮影する視聴者の人数については任意に定めるものとし、視聴者の人数が多い場合であれば複数のビデオカメラを使用して分割撮影するものとする。また、前後して存在する複数の視聴者を１つのビデオカメラで撮影する場合においては、前後して存在する複数の視聴者間に段差を設けることにより映像の重なりを防止することが出来る。
【００１３】手順▲６▼に記載の「映像被写体(視聴者）の属性情報に基づき、映像被写体（視聴者）の映像情報を分類した上で記録装置に記録する。」ことについては、１つの映像を視聴者の位置情報に対応する映像領域により分割した上で、視聴者の属性情報等（例えば、性別や生年月日から判明する年齢等）に基づき映像情報を任意に分類した上で記録装置に記録することで実現される。また、分類に使用する情報については、視聴者の属性情報以外にも図３の（ｂ）に示した映像付属情報８を挙げることが出来る。この映像付属情報８から得られる情報は、視聴された場所の情報（例えば、ファーストフードＡ店）及び視聴された日時から判明するＡＶコンテンツ情報（ＡＶコンテンツのタイムテーブルから判明）である。
【００１４】次に、請求項２に記載の映像被写体（視聴者）の属性識別方法について説明を行なう。本発明では、視聴者の属性に関する情報を元の記録媒体から、所定の映像撮影空間内において視聴者が使用する物体に内蔵した記録媒体に複写することにより、視聴者の属性を正確に識別するために必要とされる情報の提供を視聴者の負担を低く抑えた上で受けることが出来る。このことは視聴者の属性に関する情報をＩＣカード等の元の記録媒体から、所定の映像撮影空間内（ファーストフード店内等）において視聴者が使用する物体（飲食物を載せるトレー等）に内蔵したＲＦＩＤ等の記録媒体に複写することにより実現される。（ファーストフード店において本発明を実施する場合であれば、レジで注文を受ける際にＩＣカードを呈示してもらい、その場でトレーに内蔵したＲＦＩＤの記録媒体に複写することで実現出来る。）また、視聴者が使用する物体（飲食物を載せるトレー等）に内蔵したＲＦＩＤ等から複写された情報を読み取ることについては、所定の映像撮影空間内（ファーストフード店内の客席テーブル等）に配置したＲＦＩＤリーダー等の情報読取装置を使用して読み取ることにより実現することが出来る。尚、この場合、ＲＦＩＤ等の記録媒体が読み取り状態にある期間は、ＲＦＩＤリーダー等の情報読取装置においてその情報を時系列で継続して読み取り続けるものとする。また、視聴者が所定の映像撮影空間内（ファーストフード店内等）から退出する際に片付けた、視聴者が使用した物体（飲食物を載せるトレー等）に内蔵したＲＦＩＤ等の記録媒体については、回収した後に情報を消去して再度使用するものとする。
【００１５】
【発明の効果】以上説明した通り、請求項１に記載の発明では、所定の映像撮影空間内で撮影された映像被写体の属性を正確に識別することが出来る。
【００１６】また、請求項２に記載の発明では、その識別に必要とされる映像被写体の負担を低く抑えることが出来るため、本発明を視聴実態調査の手段として使用する場合においては、視聴者（映像被写体）の自然な反応を映像として取得することが可能となる。
【図面の簡単な説明】
【図１】映像情報と属性情報を結び付ける処理のフロー図
【図２】本発明を実施する施設の概要図
【図３】映像情報と属性情報の結び付きを示す概要図
【符号の説明】
１  映像被写体(視聴者）
２  属性に関する情報が書き込まれた記録媒体（ＩＣカード等）
３  情報読取装置（ＩＣカードリーダー等）
４  映像ディスプレイ
５  ビデオカメラ
６  映像被写体の位置情報に対応する映像領域
７  映像被写体の属性情報
８  映像付属情報
【図１】
2004194135.tif 000003
【図２】
2004194135.tif 000004
【図３】
2004194135.tif 000005